(57)【要約】      （修正有）【課題】布を雌形留め具と雄形留め具の間に強固に挟持し、位置決めできる留め具の提供。【解決手段】雌形留め具１と雄形留め具２で組成され、雌形留め具の表面に環状溝１１が凹設され、並びに中央に貫通する挿入孔１２が設けられ、雄形留め具２は基部底面に挿入部２２及び環状凸部２３が延設され、且つ雄形留め具の挿入部が布の貫通孔に通された後に雌形留め具の挿入孔に挿入され、並びに雄形留め具の環状凸部が雌形留め具表面の環状溝に嵌め込まれ、これにより布を雄形留め具の環状凸部と雌形留め具の環状溝間に挟持し、強固な挟持、位置決めを形成する。【選択図】図１
0003104553.tif 000002
【実用新案登録請求の範囲】
【請求項１】
雌形留め具と雄形留め具で構成された留め具において、
雌形留め具の表面に環状溝が凹設され、並びに雌形留め具の中央に貫通する挿入孔が設けられ、
該雄形留め具は基部を具え、該基部に挿入部と環状凸部が延設され、且つ雄形留め具の挿入部が雌形留め具の挿入孔内に挿入され、雄形留め具の環状凸部が雌形留め具表面の環状溝に嵌め込まれ、布を雄形留め具の環状凸部と雌形留め具の環状溝の間に挟持固定することを特徴とする、留め具。
【請求項２】
請求項１記載の留め具において、雌形留め具の底面に係止溝が設けられ、且つ雄形留め具の挿入部の底縁と基部の表面が工具によりかしめ結合されて雄形留め具の挿入部の底縁が折り曲げられて係止部が形成され、該係止部が雌形留め具の係止溝壁面に弾性係止されることを特徴とする、留め具。
【請求項３】
請求項１記載の留め具において、雄形留め具の挿入部に基部を貫通する挿入空間が形成されたことを特徴とする、留め具。
【請求項４】
請求項１記載の留め具において、雄形留め具の環状凸部が挿入部の外側に位置することを特徴とする、留め具。
【請求項５】
請求項１記載の留め具において雌形留め具の環状溝が挿入孔の外側に位置することを特徴とする、留め具。
【考案の詳細な説明】
【技術分野】
【０００１】
本考案は一種の留め具に係り、特に、布を雌形留め具と雄形留め具の間に強固に挟持し、位置決めできる留め具に関する。
【背景技術】
【０００２】
現在、留め具の使用は非常に普及しており、且つ型式の異なる留め具は異なる係合方式を有し、並びにそれぞれ靴、袋、或いは衣類に使用されている。一般に靴、袋或いは衣類の材質のほとんどは布或いは皮革とされる。しかし、異なる布或いは皮革の間には異なる弾性と間隙がある。図７の周知の技術の立体分解図に示されるように、周知の留め具は、雄形留め具Ａと雌形留め具Ｂで構成され、雄形留め具Ａは基部Ａ１の底面に環状に複数の凸部Ａ２が設けられ、並びに基部Ａ１の複数の環状の凸部Ａ２の中央に挿入部Ａ３が設けられている。さらに、雌形留め具Ｂは表面に複数の凸部Ｂ１が環状に設けられ、且つ雌形留め具Ｂの中央に貫通する穿孔Ｂ２が設けられている。また、上述の部品を使用する時、貫通孔Ｃ１を具えた布Ｃを雄形留め具Ａの挿入部Ａ３外縁に嵌合し、雄形留め具Ａの挿入部Ａ３を更に雌形留め具Ｂの穿孔Ｂ２に挿入し並びに圧着し、これにより雄形留め具Ａの複数の凸部Ａ２及び雌形留め具Ｂの複数の凸部Ｂ１を点接触の形態となして布Ｃを挟持させる。しかし、上述の布Ｃと雄形留め具Ａ及び雌形留め具Ｂの間は点接触するだけであるので、布Ｃが引っ張りに弱くなり、このために布Ｃが脱出したり雄形留め具Ａと雌形留め具Ｂの複数の凸部Ａ２、Ｂ１部分より亀裂を発生し、且つこのような挟持方式は雄形留め具Ａと雌形留め具Ｂの挟持厚さが高くなり、その使用範囲を制限した。
【考案の開示】
【考案が解決しようとする課題】
【０００３】
本考案の主要な目的は、雌形留め具の表面に環状溝を凹設し、且つ中央に挿入孔を設け、雄形留め具の基部底面に挿入部と環状凸部を延設し、雄形留め具の挿入部を布の貫通孔に通した後に更に雌形留め具の挿入孔内に挿入する時、雄形留め具の環状凸部が雌形留め具の表面の環状溝内に嵌入するようにし、これにより布を面接触形態で雄形留め具の環状凸部と雌形留め具の環状溝の間に挟持できるようにすると共に全体の高さを減らせるようにすることにある。
【０００４】
本考案の次の目的は、雄形留め具の挿入部を雌形留め具の挿入孔に挿入した後に、工具で雄形留め具の挿入部底縁と基部表面を相互にかしめることで、雄形留め具の挿入部末端を変形させて係止部を形成し、これにより雄形留め具の係止部に雌形留め具の係止溝壁面を弾性係止させて位置決めを形成させられるようにすることにある。
【課題を解決するための手段】
【０００５】
請求項１の考案は、雌形留め具と雄形留め具で構成された留め具において、
雌形留め具の表面に環状溝が凹設され、並びに雌形留め具の中央に貫通する挿入孔が設けられ、
該雄形留め具は基部を具え、該基部に挿入部と環状凸部が延設され、且つ雄形留め具の挿入部が雌形留め具の挿入孔内に挿入され、雄形留め具の環状凸部が雌形留め具表面の環状溝に嵌め込まれ、布を雄形留め具の環状凸部と雌形留め具の環状溝の間に挟持固定することを特徴とする、留め具としている。
請求項２の考案は、請求項１記載の留め具において、雌形留め具の底面に係止溝が設けられ、且つ雄形留め具の挿入部の底縁と基部の表面が工具によりかしめ結合されて雄形留め具の挿入部の底縁が折り曲げられて係止部が形成され、該係止部が雌形留め具の係止溝壁面に弾性係止されることを特徴とする、留め具としている。
請求項３の考案は、請求項１記載の留め具において、雄形留め具の挿入部に基部を貫通する挿入空間が形成されたことを特徴とする、留め具としている。
請求項４の考案は、請求項１記載の留め具において、雄形留め具の環状凸部が挿入部の外側に位置することを特徴とする、留め具としている。
請求項５の考案は、請求項１記載の留め具において雌形留め具の環状溝が挿入孔の外側に位置することを特徴とする、留め具としている。
【考案の効果】
【０００６】
本考案の留め具は使用時にその機能と目的を達成し、ゆえに本考案は実用性に優れており、実用新案登録の要件を具備するものである。
【考案を実施するための最良の形態】
【０００７】
図１、２、３は本考案の立体分解図、立体外観図、及び側面断面図であり、図から分かるように、本考案は雌形留め具１と雄形留め具２で構成されている。
【０００８】
該雌形留め具１は表面に環状溝１１が凹設され、並びに中央に貫通する挿入孔１２が設けられ、更に雌形留め具１の底面に係止溝１３が凹設されている。
【０００９】
該雄形留め具２は基部２１を具え、該基部２１の底面に挿入部２２及び環状凸部２３が延設され、且つ雄形留め具２の挿入部２２の中央に基部２１を貫通する挿入空間２２２が形成されている。
【００１０】
図３、４、５、６に示されるのは本考案の組合せ前の側面断面図、組合せ時の側面断面図、かしめ結合前の側面断面図、及びかしめ結合後の側面断面図である。これらの図に示されるように、上述の部品を使用する時は、貫通孔３１が設けられた布３を雄形留め具２と雌形留め具１の間に設置し、続いて雄形留め具２の挿入部２２を布３の貫通孔３１に通す。この時、雄形留め具２の挿入部２２を更に雌形留め具１の挿入孔１２内に挿入する。さらに、工具５で雄形留め具２の基部２１表面及び挿入部２２の底面を相互にかしめ結合させて、雄形留め具２の挿入部２２を変形させて、弾性を具えた係止部２２１を形成し、この雄形留め具２の係止部２２１を雌形留め具１の底面の係止溝１３内に係止させ、且つ雌形留め具１の環状溝１１と雄形留め具２の環状凸部２３を相互に嵌合させ、並びに布３を面接触の形態を以て雌形留め具１と雄形留め具２の間に挟持させる。
【００１１】
さらに、本考案はまた、雄形留め具２の挿入空間２２２内に紐４を通して、靴或いはその他の紐４を固定する必要のある物品に応用することができる。
【００１２】
本考案の周知の伝統的な設計に較べて改善された点は以下のとおりである。
（一）雌形留め具１の表面に環状溝１１が凹設され、且つ中央に貫通する挿入孔１２が設けられ、雄形留め具２の基部２１の底面に挿入部２２と環状凸部２３が延設され、雄形留め具２の挿入部２２が布３の貫通孔３１に通された後に更に雌形留め具１の挿入孔１２内に挿入される時、雄形留め具２の環状凸部２３が雌形留め具１表面の環状溝１１内に嵌入し、これにより布３を面接触形態で雄形留め具２の環状凸部２３と雌形留め具１の環状溝１１の間に挟持して強固な挟持位置決めを形成でき、全体の高さも減らすことができる。
（二）雄形留め具２の挿入部２２が雌形留め具１の挿入孔１２に通された後、さらに工具５で雄形留め具２の挿入部２２底縁と基部２１表面を相互にかしめ結合させることで、雄形留め具２の挿入部２２末端を変形させて係止部２２１を形成でき、雄形留め具２の該係止部２２１を雌形留め具１の係止溝１３壁面に弾性係止させることができる。
【００１３】
以上は本考案の好ましい実施例の説明であり、本考案の権利請求範囲を限定するものではない。例えば、雄形留め具の環状凸部及び雌形留め具の環状溝は使用者の必要により錐状或いは歯状に形成可能で、並びに製品外形に応じて雄形留め具の環状凸部と雌形留め具の環状溝を間隔をあけて配列することも可能である。ゆえに本考案の実施例に基づきなしうる細部の修飾或いは改変は、いずれも本考案の請求範囲に属するものとする。
【図面の簡単な説明】
【００１４】
【図１】本考案の立体分解図である。
【図２】本考案の立体外観図である。
【図３】本考案の組合せ前の側面断面図である。
【図４】本考案の組合せ時の側面断面図である。
【図５】本考案のかしめ結合前の側面断面図である。
【図６】本考案のかしめ結合後の側面断面図である。
【図７】周知の技術の立体分解図である。
【符号の説明】
【００１５】
１  雌形留め具
１１  環状溝                          １３  係止溝
１２  挿入孔
２  雄形留め具
２１  基部                            ２２２  挿入空間
２２  挿入部                          ２３  環状凸部
３  布
３１  貫通孔
４  紐
５  工具
Ａ  雄形留め具
Ａ１  基部                            Ａ２  凸部
Ｂ  雌形留め具
Ｂ１  凸部                            Ｂ２  穿孔
Ｃ  布
Ｃ１  貫通孔
【図１】
0003104553.tif 000003
【図２】
0003104553.tif 000004
【図３】
0003104553.tif 000005
【図４】
0003104553.tif 000006
【図５】
0003104553.tif 000007
【図６】
0003104553.tif 000008
【図７】
0003104553.tif 000009